(57)【要約】【課題】テーブルへ積載物が偏って載せられても、テーブルが傾かず水平を保持して昇降するため、介護用の車椅子のリフターとしても完璧な安全性が確保されるテーブルリフターを提供する。【解決手段】ベース２とテーブル３とを伸縮部材４により連結して、この伸縮部材４を伸長させると前記テーブル３が上昇し、縮小させると前記テーブル３が下降するようにしたテーブルリフター１であって、前記伸縮部材４が前記テーブル３の周側の３個所以上に立設した中空筒８へ収まるシリンダー５であり、これらシリンダー５は下端をベース２に支持され、ピストンロッド１０を前記中空筒８の上部に結合されていて、作動液体の給排は同期シリンダー１３を介して行わせるものであること。【選択図】        図２
2004217396.tif 000002
【特許請求の範囲】
【請求項１】
ベースとテーブルとを伸縮部材により連結して、この伸縮部材を伸長させると前記テーブルが上昇し、縮小させると前記テーブルが下降するようにしたテーブルリフターであって、
前記伸縮部材が、前記テーブルの周側の３個所以上に立設した中空筒へ収まるシリンダーであり、
これらシリンダーは、下端をベースに固定され、ピストンロッドを前記中空筒の上部に結合されていて、
作動液体の給排は、同期シリンダーを介して行われるものである
ことを特徴とするテーブルリフター。
【発明の詳細な説明】
【０００１】
【発明の属する技術分野】
本発明は、偏荷重に対しても水平が保てるテーブルリフターに関する。
【０００２】
【従来の技術】
従来、テーブルリフターは、ベースとテーブルとをパンタグラフ式の伸縮部材により連結して、この伸縮部材を伸長させると前記テーブルが上昇し、縮小させると前記テーブルが下降するよう構成されている。（例えば、特許文献１参照）
【０００３】
【特許文献１】
特開平８−３３７３９５号公報（第２頁〜第３頁、図１、図２）
【０００４】
しかしながら、パンタグラフ式の伸縮部材を用いるテーブルリフターは、テーブルがパンタグラフの一方には連結されているが、他方とは接触しているに過ぎないため、テーブルの連結側に偏って積載物が乗せられると、テーブルの接触側が跳ね上がってテーブルを傾かせ、積載物を落下させる危険があるので、介護用車椅子等のリフターとしては安全性に乏しい問題点がある。
【０００５】
【発明が解決しようとする課題】
本発明は前記問題点を解消し、テーブルへ積載物が偏って載せられても、テーブルが傾くことなく水平を保持するため、介護用車椅子のリフターとしても安全性が確保されるテーブルリフターを提供することをその課題とする。
【０００６】
【発明が解決しようとする課題】
本発明は、前記問題点を解消するため、下記の構成を採用することを特徴とする。
ベースとテーブルとを伸縮部材により連結して、この伸縮部材を伸長させると前記テーブルが上昇し、縮小させると前記テーブルが下降するようにしたテーブルリフターであって、
前記伸縮部材が前記テーブルの周側の３個所以上に立設した中空筒へ収まるシリンダーであり、
これらシリンダーは下端をベースに固定され、ピストンロッドを前記中空筒の上部に結合されていて、
作動液体の給排は同期シリンダーを介して行われるものであること。
【０００７】
【発明の実施形態】
以下に本発明に係るテーブルリフターの実施形態を図面に付いて説明する。
【０００８】
図１、図２において符号１は、テーブルリフターを示す。このテーブルリフター１は、ベース２とテーブル３とを伸縮部材４のシリンダー５により連結して、この伸縮部材４を伸長させると前記テーブル３が上昇し、縮小させると前記テーブル３が下降するようにしてある。
【０００９】
前記テーブルリフター１のベース２は、通常は長方形等の枠状に形成して、図１、図２に示す通り上段６と下段７が存在する設置部の下段７に配置する。そしてこのベース２の上側には、テーブル３に設けた中空筒８に収まる伸縮部材４のシリンダー５を直立するように支持させる。
【００１０】
テーブル３は、通常長方形等の平面に形成して、車椅子用の場合は、テーブル３上での方向変換ができる広さとする。そして、テーブル３の周側の３個所以上、図１、図２においては４個所に、テーブル３を水平状態で安定に支持することができる配置で中空筒８を設け、これら中空筒８には、それぞれベース２に支持される伸縮部材４のシリンダ５を収まらせるものであり、これら中空筒８の隣り合うものの間には、図１、図２に示す通り、棒材９か、鎖または綱（図示せず）を取付けると、出入時のガイドや積載後の安全ガードを簡単に構成することができる。
【００１１】
なお、テーブル３の面積が広い場合は、図１、図２のように４個所に中空筒８を設けて、これら中空筒８をベース２に支持される伸縮部材４のシリンダ−５に受けさせるだけでは、テーブル３が中垂れするおそれがあるので、この場合は、図面には示してないが、隣り合う中空筒８の間に中空筒８を設け、この中空筒８に対応させてベース２に伸縮部材４のシリンダ−５を支持させるようにする。
【００１２】
前記伸縮部材４のシリンダー５は、内部にピストン１０を嵌合して、そのロッド１１を上方に出し、ロッド１１の上端を中空筒８の上蓋１２へ結合してある。従って、ピストン１０の下側へ作動油を送ると、ピストン１０が上昇して、ロッド１１により中空筒８を押し上げ、テーブル３を上昇させる。しかし、ピストン１０の上側へ作動油を送ると、ピストン１０は下降して、ロッド１１により中空筒８を引き下げ、テーブル３を下降させる。
【００１３】
前記伸縮部材４のシリンダー５は、３個以上の総てを常に同期作動させないと、テーブル３を水平に保持することができない。このため、シリンダー４に対する圧力油の供給及び排出は同期シリンダー１３を介して行なう。
【００１４】
前記同期シリンダー１３は、伸縮部材４のシリンダー５と同数のシリンダー１４を、図４に示す通り基板１５に固定し、シリンダー１４に嵌合したピストン１６のロッド１７の端部を同期板１８に連結する。そして、ピストン１６の下側へ圧力油を供給すると、各ピストン１６が同期して上昇し、伸縮部材４のシリンダ−５の上側へ作動油を均等に供給する。従って、伸縮部材４のシリンダー５に嵌合したピストン１０は同期して上昇し、テーブル３を偏荷重が作用しても傾かないように水平に保持している。また、テーブル３を下降させるときは、同期シリンダ１３の各ピストン１６が同期して下降し、伸縮部材４のシリンダー５から作動油を均等に排出させるので、各伸縮部材４のシリンダ−５に嵌合したピストン１０は同期して下降し、この場合も偏荷重が作用してもテーブル３を傾かせず水平に保持している。
【００１５】
図５は、ベース２の４個所に支持させた各伸縮部材４のシリンダー５のうち、積載物の出入を行なう側の１方のシリンダー５を折畳式として、矢印で示すように２方向からテーブール３への積載物の出入を行なうことができるようにした実施形態を示す。この実施形態では、各伸縮部材４のシリンダー５の下端を、ベース２に支持される支持駒１９へ枢軸２０により回動自在に取付けて、図５に実線で示すように伸縮部材４のシリンダー５を直立させたり、図５に鎖線で示すようにテーブル３に設けた窓孔２１からその下側の格納部２２へ格納されるようにしてある。
【００１６】
前記のように伸縮部材４のシリンダー５を起伏させる場合は、このシリンダー５が収まる中空筒８は、シリンダー４と共に起伏させるためテーブル３には取付ず、下端にフランジ２３を設けて、このフランジ２３をシリンダー５が直立されたときは、テーブル３に設けた窓孔２１の裏面に係合してテーブル３を支持させるようにする。
【００１７】
また、テーブル３に設けた窓孔２１は、シリンダー４の起伏操作を行なうとき以外は存在しない方がよい。このため、蓋２４を準備して、伸縮部材４のシリンダー５を起伏操作するとき以外は、窓孔２１をこの蓋２４により閉塞して置く。
【００１８】
更に、テーブル３は接地部の下段７に下降したとき、その周囲に厚さだけ下段７との段差を生じて積載物が車椅子の場合、テーブル３へ乗上げるときの抵抗になる。このため、積載物が出入する周辺には段差をなくす傾斜板２５を設けて、テーブル３への車椅子等の乗上げが軽快に行われるようにする。
【００１９】
図７は、テーブルリフター１における伸縮部材４のシリンダー５を作動油により作動させる油圧装置Ａを示す。この装置Ａは、モータ２６によりポンプ２７を駆動して、タンク２８の作動油を元管２９のチェックバルブ３０を経て切換弁３１へ送り、この切換弁３１の切換によって、作動油を伸縮部材４のシリンダー５の下部に通ずる配管３２と、上部に通ずる配管３３とへ選択的に供給して、ピストン１０の上昇及び下降を行なわせるようにする。
【００２０】
また、前記元管２９は、これを流通する作動油の圧力及び温度を計測するための圧力計３４と温度計３５を設けると共に、リリーフバルブ３６を介してアンローダーバルブ３７を接続してある。
【００２１】
前記伸縮部材４のシリンダー５の下部に通じる配管３２は、図７に示す通り同期シリンダー１３における各シリンダー１４の下部へ分配連結し、各シリンダー１４の上部と伸縮部材４のシリンダー５の下部とは配管３２ａ、３２ｂ、３２ｃ、３２ｄにより個別に接続して、同期シリンダー１３の各シリンダ１４に嵌合したピストン１６の同期により、伸縮部材４の各シリンダー５へ作動油が均等に供給されるようにする。
【００２２】
前記実施形態に示すテーブルリフター１は、テーブル３が接地部の下段７に位置するとき、切換弁３１により元管２９を配管３２に連通させ、配管３３をタンク２８に連通させるように切換えると、配管３２から同期シリンダー１３の各シリンダー１４の下部へ作動油が分送されて、各ピストン１６を押圧すると、ロッド１７を同期板１８に連結した各ピストン１６は、同期されて一律に上昇する。このため、各ピストン１６は、シリンダー４の上部から作動油を均等に押し出して、伸縮部材４のシリンダー５の下部へ送る。従って、シリンダ−５に嵌合した各ピストン１０は、同期して上昇し、ロッド１１を結合した中空筒８によりテーブル３の４個所を一律に押し上げるので、テーブル３は傾くことなく水平を保持して、図２に示す通り上段６に一致する高さ迄上がり、この位置で切換弁３０を給排停止位置に切換えると、上段６の位置において停止する。
【００２３】
また、切換弁３１を元管２９が配管３３に通じ、配管３２がタンク２８に通じるように切換えると、各操作部材４のシリンダー５の上部へ作動油が分送されてピストン１０を下降させる。すると、各操作部材４のシリンダー５の下部からは同期シリンダー１３の各シリンダー１４の上部へ作動油が排出されて、各ピストン１６を個別に押し下げようとする。しかし、各ピストン１６はロッド１７を同期板１８に連結して同期させてあるため、総てのピストン１６が同期した下降を行ない、ロッド１７により中空筒８を一律にき引き下げて、テーブル３の４個所を均等に下降させる。このため、テーブル３は傾くことなく水平を保持して下段７まで下降するので、これに伴い、切換弁３１を給排停止位置に切換えると、テーブル３は下段７の位置に停止する。
【００２４】
【発明の効果】
（１）  テーブルの周側の３個所以上を、同期作動する伸縮部材のシリンダにより支持させたから、テーブルは、シリンダーの同期作動により、各部を一律に昇降されて、常に水平を保った状態で円滑に昇降動作する。
【００２５】
（２）  テーブルの周側の３個所以上を、同期作動する伸縮部材のシリンダに支持させたから、テーブルは、その上へ積載物が偏って載せられても、傾くことなく水平を保持しているので、介護用車椅子を昇降させるリフターのように高い安全性が要求されるリフターとして好適である。
【図面の簡単な説明】
【図１】本発明に係るテーブルリフターの下降状態を示す斜視図である。
【図２】同上の上昇状態を示す斜視図である。
【図３】テーブルに取付けた中空筒にベースに支持されるシリンダーが収まった状態の縦断側面図である。
【図４】各シリンダーの作動を同期させる同期シリンダーの一部分を破断した斜視図である。
【図５】一部のシリンダーと中空筒とを起伏させるテーブルリフターのシリンダーと中空筒を倒した状態を示す斜視図である。
【図６】起伏自在のシリンダーと中空筒を示す縦断正面図である。
【図７】本発明に係るテーブルリフターを作動させる液圧装置の回路図である。
【符号の説明】
１  テーブルリフター
２  ベース
３  テーブル
４  操作部材
５  操作部材のシリンダー
８  中空筒
１０  ピストンロッド
１３  同期シリンダー
【図１】
2004217396.tif 000003
【図２】
2004217396.tif 000004
【図３】
2004217396.tif 000005
【図４】
2004217396.tif 000006
【図５】
2004217396.tif 000007
【図６】
2004217396.tif 000008
【図７】
2004217396.tif 000009